(57)【要約】【課題】  熱交換器フィン表面の温度境界層の発達の抑制、剥離若しくは薄くすることで熱交換器の伝熱性能の向上が可能となり省エネ、小型化が可能となる。【解決手段】  伝熱面は空気と熱交換を行う熱交換器、あるいはその他の各種伝熱面であって上記伝熱面に形成される温度境界層を薄く、または剥離させる若しくは発達を抑制させる必要がある面を対象とし、上記伝熱面上に生成する温度境界層を空気の振動により薄く、または剥離させる若しくは発達を抑制させて装置の伝熱性能の向上及び装置の小型化を可能とするものである。【選択図】  図３
2010210105.tif 000002
【特許請求の範囲】
【請求項１】
熱源からの熱が伝熱されるとともに空気等の媒体を通過させて前記熱を前記媒体と熱交換する複数の伝熱面と、前記伝熱面の近傍に間隔をおいて配置され前記伝熱面間の空気を振動させる空気振動手段と、を備え、前記伝熱面に略垂直方向から空気振動させることを特徴とする熱交換器。
【請求項２】
前記空気振動手段は、音波発生装置であることを特徴とする請求項１記載の熱交換器。
【請求項３】
前記空気振動手段の略反対側に前記伝熱面を挟んで空気振動の反射手段を備えたことを特徴とする請求項１または請求項２記載の熱交換器。
【請求項４】
前記伝熱面に送風するファンと、前記ファンを駆動するモーターと、前記モーターの回転数を制御するモーター制御手段と、を備えたことを特徴とする請求項１乃至３の何れかに記載の熱交換装置。
【請求項５】
熱源からの熱が伝熱されるとともに空気等の媒体を通過させて前記熱を前記媒体と熱交換する複数の伝熱面と、前記伝熱面に送風するファンと、前記ファンを駆動するモーターと、ファンの角度を変えるファン方向回転装置と、を備えたことを特徴とする熱交換装置。
【請求項６】
前記ファンが2つ以上であることを特徴とする請求項４または請求項５記載の熱交換装置。
【請求項７】
前記伝熱面と、前記ファンと、前記伝熱面と前記ファンの間に乱流生成手段と、を備え、前記乱流生成手段により、前記ファンからの風を乱すことを特徴とする請求項１乃至６の何れかに記載の熱交換装置。
【発明の詳細な説明】
【技術分野】
【０００１】
この発明は、空調機、低温機器、給湯機器等に配備されている、空気と熱交換を行う熱交換器のフィン、あるいは各種の伝熱面を介して空気と熱交換を行う装置の伝熱面表面において、これらの面上に形成される温度境界層を剥離若しくは発達を抑制させて伝熱性能を向上させる技術に関するものである。
【背景技術】
【０００２】
冷凍サイクルシステムでは、空気と熱交換を行う伝熱フィンに対して表面に形成される温度境界層を剥離若しくは発達を抑制させることで伝熱性能の向上が見込まれる。伝熱性能が向上されれば、装置全体の効率向上、そして熱交換器のコンパクト化にもつながる。
【０００３】
上記温度境界層は、空気の流れ方向にフィン先端部から下流に向けて厚くなる構造を持っているが、下流に向けての発達を抑制するため、例えば熱交換器フィンにスリット構造をもたせることで発達を防いだり（例えば、特許文献１参照）、またこの温度境界層に対して、フィンを振動させフィン間の空気の流れを乱すことで温度境界層を薄く若しくは剥離を狙った例はある（例えば、特許文献２参照）。
【先行技術文献】
【特許文献】
【０００４】
【特許文献１】特開平８−３２７２７０号公報（図１）
【特許文献２】特開昭４８−３８５５５号公報（図１）
【発明の概要】
【発明が解決しようとする課題】
【０００５】
従来の手法ではフィンにスリット等の加工を加えるためフィン作成コストが高くなり、またフィンを振動させるため熱交換器全体に振動が伝わり騒音が生じ、フィンを振動させるため強力な振動素子が必要となっていた。
【０００６】
この発明は、伝熱面間の隙間を流れる空気を振動させる、あるいは、送風機から熱交換器へ送風される空気を乱して伝熱面の表面上の温度境界層を薄く、または剥離させる若しくは発達を抑制させ、伝熱性能を向上させることを目的とし、装置の性能向上、そして小型化につなげるものである。
【課題を解決するための手段】
【０００７】
本発明に係る伝熱面は空気と熱交換を行う熱交換器、あるいはその他の各種伝熱面であって上記伝熱面に形成される温度境界層を薄く、または剥離させる若しくは発達を抑制させる必要がある面を対象とし、上記伝熱面上に生成する温度境界層を空気の振動により薄く、または剥離させる若しくは発達を抑制させて装置の伝熱性能の向上及び装置の小型化を可能とするものである。
【発明の効果】
【０００８】
この発明により、伝熱面に生じる温度境界層が空気振動により薄く、または剥離させる若しくは発達が抑制され、伝熱性能が向上し機器の性能を上げることができ省エネにつながる。
【図面の簡単な説明】
【０００９】
【図１】この発明の実施の形態１を示す空調機の構成図である。
【図２】この発明の実施の形態１を示すフィンに当たる風方向とフィン表面に生じる温度境界層を表した図である。
【図３】この発明の実施の形態１を示す音波発生装置と反射板を持つ熱交換器を示した図である。
【図４】この発明の実施の形態１に示すdとd´の関係を表わすグラフである。
【図５】この発明の実施の形態２に示すファンとフィンチューブ式熱交換器を示した図である。
【図６】この発明の実施の形態２に示す複数のファンとフィンチューブ式熱交換器、風洞を用いた複数のファンを示した図である。
【図７】この発明の実施の形態２に示すファンと、ファンとフィンチューブ式熱交換器の間にある回転体と、フィンチューブ式熱交換器を示した図である。
【図８】この発明の実施の形態２に示すファンと、ファンとフィンチューブ式熱交換器の間にある通風ガイドと、フィンチューブ式熱交換器を示した図である。
【発明を実施するための最良の形態】
【００１０】
実施の形態１.
この発明の実施の形態１の構成について、冷凍装置や空調機の蒸発器に広く利用されているフィンチューブ式の熱交換器を用いて説明する。図１は、フィンチューブ式の熱交換器を示した。フィンチューブ式の熱交換器は主として複数の熱交換フィン１１と複数の伝熱管１２とで構成されている。このフィン１１は所定の間隔で複数枚積層されており、各フィン１１に設けた貫通穴を貫通するように、伝熱管１２が設けられている。例えば蒸気圧縮式の空調機では、装置内の冷媒が圧縮機で圧縮され、高温高圧となって凝縮器へと流れ込む。冷媒は凝縮器で放熱し液冷媒となり、その後、膨張手段により膨張され気液二相の冷媒となる。気液二相になった冷媒が図１のフィンチューブ式熱交換器の伝熱管１２に流れ込み、伝熱管１２内で冷媒が気化することでフィン１１を介して周囲空気から吸熱を行い動作する。
【００１１】
上記装置では、空気とフィン１１との熱交換を効率的に行うため、フィン１１に向かって略平行に蒸発器ファンにより空気が送り込まれる。なおこの説明では１次冷媒として伝熱管１２内を冷凍サイクルで圧縮機などにて循環させられるフロン系や炭酸ガスなどの自然冷媒にて熱源から温冷熱が供給され、２次冷媒である空気へ熱を放出または吸入する構成を説明するが、各冷媒は水やアンモニアなどであっても良い。さらにまた熱交換器としてフィンチューブ式であるチューブに嵌合された平板状のフィンにて空気と伝熱する熱交換器の構造で説明するが、フィンが無くチューブそのものを並行な伝熱面としたり、フィンとしてコルゲートフィンなど各種構成にても本発明の効果を生ずることは当然である。
【００１２】
熱交換器に対向して設けられた送風機により送り込まれた空気とチューブ内の冷媒とがフィンを介して熱交換を行うが、その際にフィン表面上に生じる温度境界層を図２に示す。なお簡略化のため、フィン２１は平板としスリット等の加工もないが、スリットを設けているものでも本発明の効果が得られることは当然である。図２の（イ）は熱交換器のフィン構造を斜めに見た図、（ロ）はフィン平面図、（ハ）は空気の流れによりフィンに層流が生ずる説明図を示す。
【００１３】
フィンから十分に離れた位置ではフィン２１と熱交換できないが、フィン２１近傍の空気２２はフィン２１と熱交換が可能となる。熱交換できる範囲が温度境界層２３であり、その厚みは風速、空気温度、フィン温度等によるが、一般的な空調機で用いられる風速（〜1.0m/s）では層流の温度境界層が形成される。
【００１４】
層流の温度境界層の厚みdは空気のレイノルズ数Reを用いて以下の式で与えられ、図２に示すように下流に向けて距離xが進むにつれて大きくなる。
【００１５】
【数１】
2010210105.tif 000003
【００１６】
空調機ではReは200〜300程度であり、先端から10mm程度の位置では温度境界層は0.5mm程度である。
【００１７】
このように形成される温度境界層内では熱伝導による熱流が支配的となっており、フィンから空気への熱流は温度境界層内の温度勾配(Ts-Ta)/dに比例する。ここでTsはフィン表面温度、Taは温度境界層外側の空気温度である。
【００１８】
つまり、層流の境界層が形成されているときは温度境界層内の温度勾配が大きいほど熱交換量は大きくなり、そのためには温度境界層を薄く（dを小さく）することが重要となる。
【００１９】
例えば図２（ハ）に示すように上流のフィン先端部分２４は下流部に比べて温度境界層は薄い。そのためフィン表面温度がフィン全体で均一とすると、先端部分２４は下流部に比べて熱交換量が多くなる。この効果はフィン前縁効果と呼ばれている。
【００２０】
この前縁効果をフィン上でより多く獲得するため、フィンに切り起こしなどの形状変化を与えて温度境界層の発達を抑制させ、各切り起こしの先端箇所で前縁効果を持たせて熱交換器全体の熱交換量の増加を狙っている。
【００２１】
以上のことから、フィン表面に形成される温度境界層の発達の抑制若しくは薄く、または剥離させることで熱交換器の性能向上が期待できる。以下に空気振動を利用した温度境界層の発達の抑制若しくは薄く、または剥離させる手法について述べる。
【００２２】
図３は本発明の原理を説明する図であって、フィン表面の空気に振動を与える手法として音波発生装置を用いた概念図である。図３（イ）で示すように熱交換器に対して送風機のファンからの流れである風方向に垂直に、かつ熱交換器をはさんで音波発生装置３１と音波を全反射する金属製の反射板３２を設け、フィン上の空気に対して音波を用いて振動を与えている。
【００２３】
音波発生装置３１をある周波数で駆動すると装置３１からフィン３３に向かって空気振動が伝播する。そしてフィン表面の空気はファンから送り込まれる一様流れに加えて振動される。図３（ロ）は正面図、（ハ）は側面図であって、並行に設けられた伝熱面であるフィンの間を通る空気に対して音波により振動を加えている。
【００２４】
フィン表面の空気は振動されることで、フィン表面に形成される温度境界層に乱れが生じ、下流に向けての温度境界層の発達に影響を与える。
【００２５】
この効果は音源から発生する振動エネルギーに比例すると考えられるので、音源からより強力な音波を発生させることが重要となる。そのために反射板３２を用い、音波発生装置３１と反射板３２との距離をあらかじめ測定し、その距離から想定される共鳴周波数で音源を駆動させることで、大振幅の振動をフィン３３表面の空気に与えることができる。なお通常のフィンチューブ式熱交換器は筐体に入っているため、反射板を省略し筐体を反射板の代わりとしても良い。剛性の大きな筐体は音波を反射するだけで、音波を受けて振動して騒音を発生することはない。
【００２６】
与える周波数は単一周波数ではなく例えば所定の範囲の連続周波数を用いても境界層の発達の抑制には効果が期待できる。すなわち中心周波数の上下の周波数に渡り連続してずらし反射板にて反射する音波とともに伝熱面間の隙間の空気を振動させる。
【００２７】
また振動によって生じる温度境界層d'は空気の熱拡散係数aと角振動数wを用いて下の式で与えられ、振動数に反比例する。
【００２８】
【数２】
2010210105.tif 000004
【００２９】
d'とdの関係を図４に示す。但しRe=300，x=5 mmを用いてd=0.28 mmとした。またaは空気の20℃での値a=22.1 mm2/sを用いた。
【００３０】
図４から100Hz以下の周波数ではd'がdより大きくなり、振動を与えることで逆に熱交換量が減少する可能性がある。100Hz以上であればd'がdより小さくなり、振動を与えることで熱交換量を増加させることができる。つまり100Hz以上の周波数が望ましいといえる。
【００３１】
但し、振動の伝播による減衰量は振動数に比例するため、振動数が高すぎるとフィン全体に流れる空気へ加える振動が伝播せず、上記効果がフィン全体で得られない。音波発生装置の周波数を最適にすることで上記効果が最大となる。
【００３２】
上記効果を効率的に得るための音波発生装置の位置は、フィン上の空気が振動すればよいので、必ずしもフィンに対して真下に位置する必要はなく、例えば斜め方向から振動を与えても上記効果は得られる。空気は熱交換器の複数のフィンが形成する例えば上下方向に配置した伝熱面の間の隙間を流れる場合、超音波装置は空気の流れる方向と直角方向であってフィンにより邪魔をされない方向である上下方向に設けることになる。
【００３３】
また音波発生装置としてはランジュバン型の超音波発生器があげられる。この発生器は指向性の高い発生器で、広い振動板を用いれば、均一に広い範囲に音波を発生することができる。いずれの発生装置でもフィン上の空気が振動されれば本発明には有効である。また音波発生装置は伝熱フィンを振動させるのではなく、伝熱面間の空気を振動させるため、熱交換器に振動が伝わることはなく騒音を抑えられる。また音波発生装置は筐体に防振ゴムのような弾性体で支持することで騒音を抑えられる。又平板状のフィン以外では、例えばコルゲート式フィンを使用する場合、フィンに振動与える場合は山と谷の両方を伝熱管に接触させているためフィンに振動を伝えることが難しいが、伝熱面間を流れる空気を振動させる本発明の構造では支障なく行える。また水中に設けた伝熱管に１次冷媒を流してこの冷媒を水である２次冷媒により冷却するような装置の場合は水の流れを振動させれば良いので、熱交換器の吸入側水中に加振装置を設ければよい。
【００３４】
また図４に示したように温度境界層は1 mm以下に抑えられるから、空調機のようにフィンピッチが狭い（通常の空調機ではフィンピッチは1.6 mm程度）熱交換器に対しても上記効果が期待できる。
【００３５】
実施の形態２.
この発明の実施の形態２の構成について、冷凍装置や空調機の蒸発器に広く利用されているフィンチューブ式の熱交換器を用いて説明する。フィンチューブ式熱交換器は空気とフィンとの熱交換を効率的に行うため送風機のファンを用いて空気をフィンへ送り込んでいる。
【００３６】
スリット等の工夫がされていない熱交換器では、フィン間の空気流れは一般の空調機等では層流の流れである。流れが乱流になるとフィンと空気との熱交換はその形態を大きく変える。
【００３７】
層流では熱交換は熱伝導が支配的で温度勾配がその大きさを決めている。一方乱流では乱流渦の不規則運動によって生じる熱流がフィンと空気との間に生じる。この効果によって乱流ではフィン近傍では熱伝導が支配的となり、フィンから遠ざかるにつれ風の流れの乱れが支配的となる。
【００３８】
以上のことから流れを乱流にする、つまり流れを乱しフィン表面空気を攪拌することで伝熱の促進できる。すなわち、空気の流れを脈動させ乱流にすることで層流の厚みを薄くできるとともに、流れを乱し攪拌することで熱伝達をさらに大きくすることができる。以下に蒸発器，凝縮器に取り付けられている送風機ファンを工夫して流れを乱す手法について述べる。
【００３９】
図５に熱交換器とファンとの関係を示す。通常ファン５１はモーター５２にて駆動されファンモーターへの入力電圧と電流で与えられるファン仕事が一定となるように設定された回転数、例えば１０００回転にて回転している。ここで任意の時間ごとにファンの回転数を例えばプラスマイナス１００回転など、落とす若しくは上げることで変化させることで一様な空気流れに変化を与えることができる。設定された回転数になるようにモーター入力を制御する際に、間隔をおいてモーター制御装置５３の半導体スイッチ回路の入力をオフすることで設定された回転数にする制御とともに風速と風量の変化を起こす際の省エネをも行うことができる。ファンの回転数を変化させる時間間隔は風速が小さい場合は短い間隔で、風速が大きな場合はゆっくりとした時間間隔であれば空気の流れに乱れを起こしやすい。
【００４０】
これにより温度境界層の発達に影響を与え伝熱性能の向上が見込まれる。
【００４１】
また図５（ハ）のように上下方向にファンからの風の向きを周期的に変化させるようファンの向きを小さな一定の角度をモーターにより変化させるファン方向回転装置５４を取り付けることで、ファン回転によって空気流れに周期的な振動（脈動）を与えることができ、上記記載の伝熱促進効果を狙うことができる。このファン方向回転装置５４はファンを下部から筐体に支持するファン脚部に水平方向の軸を軸受けにて回転可能に支持し、ファンとファン駆動用モーターの一体構造物をこの軸に固定した構造で、軸端部に設けた角度を例えば２０度の範囲で変更するように設けたモーターにより軸を上下方向に回転させるものである。さらにファン方向回転装置５４を左右に回転できるようにすることにより、上下左右にファンを動かすことができるので、さらに流れを乱し攪拌することで熱伝達をさらに大きくすることができる。
【００４２】
図６（イ）に示すように一つの熱交換器に対して複数個のファンを設ける構造にするとファンが小型化できるだけでなく、熱交換器全体に空気の流れを乱すことができていっそうの熱伝達特性を向上させることができる。たとえば各ファンモーター６２をインバータ６３で独立に制御し各ファンの回転数を異なるものとしたり、また各ファンから熱交換器への送風向きも変化させることで、各ファンからの空気の流れを熱交換器に対して脈動させて供給するだけでなく、相互に干渉させ伝熱面表面上の空気流れを乱し、さらに熱伝達率の向上を図ることができる。図６（ロ）のファンは相互に回転半径より離れた位置に設けられるとともに、それぞれのファンを仕切る風洞６４が設けられファン相互間の風の干渉を互いに影響が無いように配置されている。ファンは風洞出口側に設けられ、風洞の吸入側はファンモーターを覆い隠すように長く伸ばすことにより並行に設けたそれぞれのファンの回転数が異なる場合でもひとつのファンの送風を別のファンが吸い込むなどの干渉を防ぎ、回転速度への悪影響を防止し、モーターの信頼性を高め寿命を延ばす構造としている。またこの並行に設けたファンの向きをお互いに遠ざける位置や一方が遠ざける場合他方のファンは一方のファン側へ近づけるなど相互に連動させる動きを制御装置にてファン方向回転装置を設定しても良い。ファンは熱交換器への空気分布を考えて２つ以上から選択する。なお、ファンモータのみならず本発明に使用するヒートポンプ装置の圧縮機なとの駆動装置のモーターは希土類磁石を一円に設けた構造や粉磁石を混合したプラスチックマグネットなどの永久磁石を利用したＤＣブラシレスモーターとし、インバータは半波または全波などで素子にＳｉＣを使用するなど効率向上を図ることができる。
【００４３】
また乱流生成手段の実施例として、図７に示すようにファン７１と熱交換器７２との間に回転体７３を設けて、回転体７３が空気流れで回転することでファンから熱交換器への流れを乱す手段について説明する。
【００４４】
例えば回転体７３を三角形や多角形で織り交ぜることで同じように回転しても流れを乱すことができる。なお回転体７３による通風抵抗、騒音を低減するよう回転体７３を工夫する必要がある。例えば図７の回転体７３は熱交換器の空気吸入側に近接して設けられ、熱交換器と並行して設けられた軸に取り付けられている。この回転体の回転はファンからの送風で行われ軸は固定されるとともに軸と回転体の間に設けられた軸受け、あるいは軸と回転体は固定され軸の両端に設けられ、筐体に支持された軸受けにより回転が可能になる。この軸受けは玉軸受け、メタル軸受けなどが使用される。
【００４５】
またその他の乱流生成手段の実施例として、図８に示すようにファン８１と熱交換器８２との間に風方向を決める整風ガイド８３を設け、この整風ガイドはせいぜい数ミリから数十ミリ以下の短い平板を熱交換器のフィンに並行に設け、かつ、この平板のピッチはフィンピッチと同程度以上でフィンピッチ数枚分程度までとし、ファンの送風範囲をカバーするものであれば風路損失の低下を抑えられる。ガイド８３で超音波振動子８４などにより周期的若しくは瞬間的に揺することで空気流れに変化を与え、フィン表面の空気流れを乱すことができる。
【００４６】
この発明により、伝熱フィン表面に生じる温度境界層の発達の抑制または温度境界層近傍空気を攪拌され、フィンと空気との熱交換量を増加させることができる。これにより装置の性能向上が見込まれ省エネが期待でき、また装置の小型化も可能となる。
【００４７】
本発明を利用することで、空気と熱交換を行う熱交換器、あるいは各種の伝熱面を介して空気と熱交換を行う装置の表面に形成される温度境界層の発達の抑制若しくは薄く、または剥離させる必要がある面の性能向上につながり装置の小型化が可能となる。
【００４８】
本発明の熱交換器は、熱源から熱が伝熱されるとともに略平行に設けられた間の空間に空気等の媒体を通過させて前記熱を前記媒体と熱交換する複数の伝熱面上に形成される温度境界層を剥離若しくは発達を抑制させるため、上記伝熱面上の空気を振動させるので、ヒートポンプを熱源とし、２次冷媒への熱伝達率を向上させるので効率の良い装置とすることができる。
【００４９】
本発明の熱交換器は、複数のフィンや伝熱管、１次冷媒流通部の表面の伝熱面の近傍に配置され複数の伝熱面の間に向けて音波を発生させる音波発生装置により、空気などの２次冷媒に振動を加えることができるので、安価に簡単な構造で効率を向上させることができる。
【００５０】
本発明の熱交換器の送風ファンは、市販の扇風機のように連続的に回転させたり首振り動作をモータにより風向を若干変化させることができ、伝熱面に送風する空気等の媒体を脈動させ通過させるので、安価に簡単な構造で効率を向上させることができる。
【００５１】
本発明のファンは、インバータにより入力電圧を変化させ伝熱面へ脈動させた空気を送風するので、簡単な構造で効率を大幅に向上させることができる。
【００５２】
本発明は、熱交換器の伝熱面に空気等の媒体を通過させるために配置されたファンの設置数若しくは設置角度または制御によって伝熱面へ送風する空気を乱すので、ファンの動力を無駄にせずに簡単な構造で効率を向上させることができる。
【００５３】
本発明は、伝熱面に空気等の媒体を通過させるために配置されたファンと伝熱面との間に回転体を設けて、回転体の構造を変化させ、伝熱面への媒体の流れを乱すことができるので、ファンの動力を無駄にせずに簡単な構造で効率を向上させることができる。
【００５４】
本発明は、伝熱面に空気等の媒体を通過させるために配置されたファンと伝熱面との間に風の流れを整えるガイドを設け、ガイドを振動子により周期的若しくは間歇的に瞬間的に振動を与え、媒体の流れに連続して、あるいは、間歇的に乱れを発生させるので、ファンの動力を無駄にせずに簡単な構造で効率を向上させることができる。
【００５５】
この発明は、熱源から熱が伝熱されるとともに略平行に設けられた間の空間に空気等の媒体を通過させて熱を媒体と熱交換する複数の伝熱面上に形成される温度境界層を剥離若しくは発達を抑制させるため、伝熱面上の空気を振動させる熱交換器である。
【００５６】
この発明は、空気振動を伝熱面の近傍に配置され複数の伝熱面の間に向けて音波を発生させる音波発生装置により行う熱交換器である。
【００５７】
この発明は、空気振動を前記伝熱面に空気等の媒体を通過させるために配置されたファンの動作を変化させる熱交換装置である。
【００５８】
この発明は、ファンの入力電圧を変化させファンの回転数を変えることで空気振動を行う熱交換装置である。
【００５９】
この発明は、空気振動を伝熱面に空気等の媒体を通過させるために配置されたファンの設置数若しくは設置角度または制御によって行う熱交換装置である。
【００６０】
この発明は、空気振動を伝熱面に空気等の媒体を通過させるために配置されたファンと伝熱面との間に回転体を設けて、前記回転体の構造を変化させる熱交換装置である。
【００６１】
この発明は、空気振動を伝熱面に空気等の媒体を通過させるために配置されたファンと伝熱面との間に風向きを示すガイドを設け、ガイドを振動子により周期的若しくは瞬間的に振動を与える熱交換装置である。
【符号の説明】
【００６２】
１１  フィン、１２  伝熱管、２１  フィン、２２  フィン表面近傍の空気、２３  温度境界層、２４  フィン先端部、３１  音波発生装置、３２  反射板、３３  フィン、３４  伝熱管、５１  ファン、５２  モーター、５３  モーター制御装置、５４  ファン方向回転装置、６１  ファン、６２  ファンモーター、６３  ファン制御インバータ、６４  風洞、７１  ファン、７２  熱交換器、７３  回転体、８１  ファン、８２  熱交換器、８３  整風ガイド、８４  振動子。
【図１】
2010210105.tif 000005
【図２】
2010210105.tif 000006
【図３】
2010210105.tif 000007
【図４】
2010210105.tif 000008
【図５】
2010210105.tif 000009
【図６】
2010210105.tif 000010
【図７】
2010210105.tif 000011
【図８】
2010210105.tif 000012